(57)【要約】【課題】  草木等を除去するために刈払機を使用しているときに、使用者の頭部及び頸部に対して蚊、虻、蜂などの飛来害虫による虫刺されから保護し、さらに刈払機の回転刃によって小石や木片が跳ね上げられたときにおいて、使用者の目や顔を防護面などの他の部材で保護して、使用者の視界を確保することができる防護面用防虫具を提供することを目的とする。【解決手段】  使用者の頸部及び頭部を覆い網目状の部材からなる頭部被覆体１を備え、頭部被覆体１に使用者の顔を覆う防護面４１を取り付ける開口部１１と、開口部１１の周縁に防護面４１に着脱可能である係止部１２を有することを特徴とする防護面用防虫具により解決することができた。【選択図】図１
2017031519.tif 000002
【特許請求の範囲】
【請求項１】
使用者の頸部及び頭部を覆い網目状の部材からなる頭部被覆体を備え、
前記頭部被覆体に使用者の顔を覆う防護面を取り付ける開口部と、
前記開口部の周縁に前記防護面に着脱可能である係止部を有することを特徴とする防護面用防虫具。
【請求項２】
前記開口部の周縁に、前記防護面に前記頭部被覆体を固定する長孔を有することを特徴とする請求項１に記載の防護面用防虫具。
【請求項３】
前記頭部被覆体と一体であり、使用者の胴体を覆い網目状の部材からなる体幹部被覆体と、
前記体幹部被覆体と一体であり、使用者の腕部を覆い網目状の部材からなる腕部被覆体とを備えることを特徴とする請求項１又は請求項２に記載の防護面用防虫具。
【請求項４】
前記体幹部被覆体及び前記腕部被覆体の一端に前記体幹部被覆体及び前記腕部被覆体の一端を使用者の身体と当接可能とする締着部を備えることを特徴とする請求項３に記載の防護面用防虫具。
【発明の詳細な説明】
【技術分野】
【０００１】
本発明は、草刈り機などで草木を除去するために使用される防護面に対して取り付けられ、蚊、虻や蜂などの飛来害虫から身を守るために使用される防虫具刃に関する。
【背景技術】
【０００２】
従来、刈払機などで草木を除去するときには、小石や木片が飛び跳ねて使用者の目に入らないように、また顔を傷付けないように、使用者の顔全体を保護する防護面を着用している。しかし、屋外で作業するため、場所によっては蚊、虻、蜂などの飛来害虫が多く、虫刺されなどにより作業を行いにくいなどの問題がある。
【０００３】
使用者の頭部や頸部などを蚊、虻、蜂などの飛来害虫による虫刺されから保護するためには種々の防虫具が知られている。
【０００４】
例えば、特許文献１には、メッシュ状の衣服であって、頭部全体を包囲する頭部包囲体と、上着体を備え、頭部包囲体と上着体とは一体に構成され、前側でジッパーを開閉することにより使用者の頭部を露出することができる防虫具が開示されている。
【先行技術文献】
【特許文献】
【０００５】
【特許文献１】特開２０００−３０３３５４号公報
【発明の概要】
【発明が解決しようとする課題】
【０００６】
しかしながら、特許文献１に記載の防虫具であるメッシュ状の衣服では、防虫性能を有していたとしても、使用者の顔も含め頭部全体を厚みの薄いメッシュ状の繊維で覆っているため、刈払機の回転刃によって跳ね上げられた小石や木片がそのメッシュ状の繊維を介して使用者の目や顔に衝突する恐れがあり、草木を刈る作業を行うときには使用者の目や顔を充分に保護できるものではなかった。すわなち、顔を何も保護してないよりは、メッシュ状の繊維で頭部を保護している方が怪我の程度は少ないことが予測されるが、厚みの薄いメッシュ状の繊維でしか頭部を保護していないので、使用者の目や顔の負傷を完全に防げるものではなかった。
【０００７】
また、特許文献１に記載の防虫具であるメッシュ状の衣服を、小石や木片の飛散による使用者の顔の負傷を保護する防護面を取り付けてから着用すると、防護面の前にメッシュ状の衣服が位置するため、防護面のみを着用した場合、またはメッシュ状の衣服のみを着用した場合に比べて、前方の視界が悪くなり草木を刈る作業を行いづらいという課題があった。
【０００８】
そこで、本発明は、草木等を除去するために刈払機を使用しているときに、使用者の頭部及び頸部に対して蚊、虻、蜂などの飛来害虫による虫刺されから保護し、さらに刈払機の回転刃によって小石や木片が跳ね上げられたときにおいて、使用者の目や顔を防護面などの他の部材で保護して、使用者の視界を確保することができる防護面用防虫具を提供することを目的とする。
【課題を解決するための手段】
【０００９】
〔１〕すなわち、本発明は、使用者の頸部及び頭部を覆い網目状の部材からなる頭部被覆体を備え、前記頭部被覆体に使用者の顔を覆う防護面を取り付ける開口部と、前記開口部の周縁に前記防護面に着脱可能である係止部を有することを特徴とする防護面用防虫具である。
〔２〕そして、前記開口部の周縁に、前記防護面に前記頭部被覆体を固定する長孔を有することを特徴とする前記〔１〕に記載の防護面用防虫具である。
〔３〕そして、前記頭部被覆体と一体であり、使用者の胴体を覆い網目状の部材からなる体幹部被覆体と、前記体幹部被覆体と一体であり、使用者の腕部を覆い網目状の部材からなる腕部被覆体とを備えることを特徴とする前記〔１〕又は前記〔２〕に記載の防護面用防虫具である。
〔４〕そして、前記体幹部被覆体及び前記腕部被覆体の一端に前記体幹部被覆体及び前記腕部被覆体の一端を使用者の身体と当接可能とする締着部を備えることを特徴とする前記〔３〕に記載の防護面用防虫具である。
【発明の効果】
【００１０】
本発明の防護面用防虫具によれば、草木等を除去するために刈払機を使用しているときに、使用者の頭部及び頸部に対して蚊、虻、蜂などの飛来害虫による虫刺されから保護し、さらに刈払機の回転刃によって小石や木片が跳ね上げられたときにおいて、使用者の目や顔を防護面などの他の部材で保護して、使用者の視界を確保することができる。
【図面の簡単な説明】
【００１１】
【図１】一部破断した防護面に取り付けられた本発明の防護面用防虫具における第一実施形態の着用状態を示す斜視図である。
【図２】防護面を取り外した本発明の防護面用防虫具における第一実施形態の着用状態を示す斜視図である。
【図３】本発明の防護面用防虫具における第一実施形態に取り付ける防護具を示す斜視図である。
【図４】一部破断した防護面に取り付けられた本発明の防護面用防虫具における第二実施形態の着用状態を示す斜視図である。
【図５】防護面を取り外した本発明の防護面用防虫具における第二実施形態の着用状態を示す斜視図である。
【図６】一部破断した防護面に取り付けられた本発明の防護面用防虫具における第三実施形態の着用状態を示す斜視図である。
【図７】防護面を取り外した本発明の防護面用防虫具における第三実施形態の着用状態を示す斜視図である。
【図８】一部破断した防護面に取り付けられた本発明の防護面用防虫具における第四実施形態の着用状態を示す斜視図である。
【図９】防護面を取り外した本発明の防護面用防虫具における第四実施形態の着用状態を示す斜視図である。
【図１０】本発明の防護面用防虫具における第四実施形態に取り付ける防護具を示す斜視図である。
【発明を実施するための形態】
【００１２】
以下、本発明に係る防護面用防虫具に関する実施形態について図面を参照して詳しく説明する。なお、以下に説明する実施形態は、本発明を実施するために好ましい具体例であるから、技術的に種々の限定がなされているが、本発明は、以下の説明において特に発明を限定する旨が明記されていない限り、これらの形態に限定されるものではない。
【００１３】
＜第一実施形態＞
本発明の頭部被覆体１は、使用者の頸部及び頭部を覆い網目状に形成された部材である。頭部被覆体１は、使用者の頸部及び頭部を覆うため、防護具４の防護面４１で覆われない使用者の顔以外の頭部及び頸部を蚊、虻、蜂などの飛来害虫による虫刺されから保護することができる。そして、頭部被覆体１は、網目状の部材からなるため、通気性を有し、内部で熱気や湿気がこもらず、快適に使用することができる。図１、２に示すように、本実施形態において、頭部被覆体１は、使用者の頭部、頸部だけでなく、肩の近傍まで覆う大きさを有している。
【００１４】
図２に示すように、使用者が装着したときに使用者の顔が位置する頭部被覆体１の部分には、略矩形状の開口部１１が設けられている。この開口部１１から防護具４の防護面４１を露出させる。この開口部１１の周縁の一部、すなわち、開口部１１の下側、及び、左右両側には、係止部１２であるクリップが複数取り付けられており、係止部１２を防護面４１の外周に嵌挿することにより頭部被覆体１を防護面４１に取り付けることができ、そして、係止部１２を防護面４１の外周から取り外すことにより、頭部被覆体１と防護具４を分離することができる。
【００１５】
そして、図２に示すように、開口部１１の周縁の一部、すなわち開口部１１の上側には、開口部１１の縁を損傷から防ぐ帯状の補強部１３が設けられ、その補強部１３には、補強部１３を貫通する長孔１４が穿設されている。この長孔１４は、防護面４１を止着している回動片４２に挿入されることにより、補強部１３と防護面４１を隙間なく固定することができるので、頭部被覆体１を防護具４に取り付けることができる。
【００１６】
本実施形態において、開口部１１の周縁に設けられた係止部１２及び長孔１４により頭部被覆体１を防護具４に取り付けることができるようにしているが、他の実施形態において、開口部１１の周縁全部に亘って係止部１２を設けて防護面４１に着脱可能にして、頭部被覆体１と防護具４を取り外し可能とすることもできる。
【００１７】
図１、図２に示すように、体幹部被覆体２は、頭部被覆体１の端部に一体として取り付けられており、使用者の胴体を覆う網目状に形成された部材である。体幹部被覆体２は、使用者の胴体を覆うため、使用者の胴体を蚊、虻、蜂などの飛来害虫による虫刺されから保護することができる。そして、体幹部被覆体２は、網目状の部材からなるため、通気性を有し、内部で熱気や湿気がこもらず、快適に使用することができる。
【００１８】
そして、体幹部被覆体２の下端には、体幹部被覆体２の下端淵に埋設された紐２１１とその紐２１１を絞って固定する固定部２１２からなる第一締着部２１を備えている。第一締着部２１により、体幹部被覆体２の下端を使用者の身体に密着することが可能となり、体幹部被覆体２の下端と使用者の身体の隙間から蚊、虻、蜂などの飛来害虫が侵入することを防ぐことができる。
【００１９】
図１、図２に示すように、腕部被覆体３は、体幹部被覆体２に一体として取り付けられており、使用者の両腕部を覆う網目状に形成された部材である。腕部被覆体３は、使用者の左右の腕部を覆うため、使用者の左右の腕部を蚊、虻、蜂などの飛来害虫による虫刺されから保護することができる。そして、腕部被覆体３は、網目状の部材からなるため、通気性を有し、内部で熱気や湿気がこもらず、快適に使用することができる。
【００２０】
そして、腕部被覆体３の一端である袖口には、腕部被覆体３の袖口内に埋設されたゴムなどの伸縮可能な弾性体からなる第二締着部２２を備えている。第二締着部２２により、腕部被覆体３の袖口を使用者の手首などに密着することが可能となり、腕部被覆体３の袖口と使用者の腕部の隙間から蚊、虻、蜂などの飛来害虫が侵入することを防ぐことができる。なお、本実施形態において、腕部被覆体３は、使用者の手首まで覆う長袖の丈を有しているが、別の実施形態において、使用者の肘程度まで覆う半袖の丈を有してもよいし、また、手首に先の手部まで覆う丈を有してもよい。
【００２１】
頭部被覆体１、体幹部被覆体２、腕部被覆体３は、ポリエチレンテレフタレート、ポリブチレンテレフタレート、６，６−ナイロン、６−ナイロン、ポリアクリロニトリル、ポリエチレン、ポリプロピレン、ポリウレタンなどの合成繊維、セルロース系半合成繊維、レーヨンなどのセルロース系再生繊維、ケイ素や炭素の素材からなる無機繊維などの繊維を用いて、無結節網、結節網、綟子網など汎用な編み方で網目を形成するように編まれたものであることが好ましく、網目の目開きは蚊、虻、蜂などの飛来害虫の侵入を防ぐことが可能である大きさあれば良く、特に目開きの大きさを限定されるものではない。
【００２２】
図３に示すように、頭部被覆体１に取り付けることができる防護具４は、使用者の顔を覆う防護面４１と、本体部４３に設けられ防護面４１の上部に穿設された防護面孔４１１に挿通して防護面４１を本体部４３に取り付ける回動片４２と、本体部４３に設けられ使用者の頭部に防護具４を固定するベルト状の頭部保持部４４などを備えている。
【００２３】
図３において、本体部４３に防護面４１が取り付けられた状態を示しているが、回動片４２を横に倒すように回動させることにより、回動片４２よりも一回り大きい防護面孔４１１から回動片４２を取り外すことができるので、防護面４１を使用目的や劣化により取り換えることができるようになっている。
【００２４】
そして、図３において、防護面４２における使用者の顔を覆う部分は、金属製のメッシュ状であるが、他の実施形態において、メッシュ状ではないポリカーボネート、ポリエチレンテレフタレート、ポリプロプレン、ポリエチレンなどの透明な高分子や強化ガラスなどからなる板状の部材を用いることもできる。
【００２５】
そして、本体部４３と頭部保持部４４とは、本体部４３と頭部保持部４４の角度を変更することができる調節部４５を介して取り付けられており、使用者の顔の大きさや視線の方向などによって、防護面４１が適切な角度となるよう調節することができる。
【００２６】
＜第二実施形態＞
図４、図５に示すように、第一実施形態とは、体幹部被覆体２及び腕部被覆体３を備えない点において相違しており、頭部被覆体１の構成については第一実施形態と同様であり、第一実施形態と同様の作用効果を奏する。
【００２７】
＜第三実施形態＞
図６、図７に示すように、第二実施形態とは、頭部被覆体１において同様の構成を有している。第二実施形態との相違点は、係止部１２がクリップではなく、Ｊ字状のフックである。このＪ字状のフックを防護面４１のメッシュ状の部分に引っ掛けることにより、Ｊ字状のフックと防護面４１を係止して頭部被覆体１を防護具４に固定することができる。
【００２８】
＜第四実施形態＞
図８、図９に示すように、第二実施形態、第三実施形態とは、頭部被覆体１において同様の構成を有している。第二実施形態、第三実施形態との相違点は、係止部１２がクリップやフックではなく、スナップボタンである。係止部１２であるスナップボタンは、開口部１１の周縁の下側、左右両側に亘って設けられ、開口部１１の周縁の強度を向上させる第二補強部１５に一対として取り付けられている。図１０に示す防護面４１のメッシュ状の部分に穿設された丸孔４１２に対して一対のスナップボタンを止めることにより、図８に示すように、頭部被覆体１を防護具４に固定することができる。
【符号の説明】
【００２９】
１・・・頭部被覆体
１１・・・開口部
１２・・・係止部
１３・・・補強部
１４・・・長孔
１５・・・第二補強部
２・・・体幹部被覆体
２１・・・第一締着部
２１１・・・紐
２１２・・・固定部
３・・・腕部被覆体
３１・・・第二締着部
４・・・防護具
４１・・・防護面
４１１・・・防護面孔
４１２・・・丸孔
４２・・・回動片
４３・・・本体部
４４・・・頭部保持部
４５・・・調節部
【図１】
2017031519.tif 000003
【図２】
2017031519.tif 000004
【図３】
2017031519.tif 000005
【図４】
2017031519.tif 000006
【図５】
2017031519.tif 000007
【図６】
2017031519.tif 000008
【図７】
2017031519.tif 000009
【図８】
2017031519.tif 000010
【図９】
2017031519.tif 000011
【図１０】
2017031519.tif 000012